(57)【要約】【課題】ネットワーク接続装置のソフトウェア更新処理による機能制限を軽減した状態収集システムを提供することを目的とする。【解決手段】プラント設備状態収集システム１は、検出装置１０と、ネットワーク構築装置２０と、データ記憶装置３０と、を備える。ネットワーク構築装置２０は、ソフトウェアを記憶した複数の基板と電源基板２５０を備え、前記ネットワーク構築装置２０が少なくとも一つの基板のソフトウェア更新処理を行うと判断した場合に、前記電源基板２５０の電力供給部２５１は前記ソフトウェア更新処理を行わない基板に対し前記ソフトウェア更新処理が完了するまで電力を供給することを特徴とする。【選択図】図４Ａ
2019028479.tif 000002
【特許請求の範囲】
【請求項１】
検出装置と、ネットワーク構築装置と、データ記憶装置と、を含む状態収集システムであって、
前記ネットワーク構築装置は、第一の基板と、第二の基板と、電源基板と、を備え、
前記第一の基板は、前記データ記憶装置と通信する通信部と、第一のソフトウェア、及び第二のソフトウェアのソフトウェア更新処理を制御する制御部と、前記第一のソフトウェアを記憶する第一の記憶部と、を備え、
前記第二の基板は、前記検出装置とネットワークを構築するネットワーク構築部と、前記第二のソフトウェアを記憶する第二の記憶部と、を備え、
前記電源基板は、前記第一の基板、及び前記第二の基板に電力を供給する電力供給部を備え、
前記制御部が前記第一のソフトウェア、及び前記第二のソフトウェアの少なくとも一つの更新を行うと判断した場合に、前記電力供給部は前記ソフトウェア更新処理を行わない前記第一の基板、及び前記第二の基板に対し前記ソフトウェア更新処理が完了するまで電力を供給する、
ことを特徴とする状態収集システム。
【請求項２】
前記制御部は、
前記第一のソフトウェアのみを更新する第一の判断と、
前記第二のソフトウェアのみを更新する第二の判断と、
前記第一のソフトウェア、及び前記第二のソフトウェアを更新する第三の判断と、を備える、
ことを特徴とする請求項１記載の状態収集システム。
【請求項３】
前記電力供給部は、
前記第一の基板に電力を供給し、且つ、
前記第一の基板に備えられた電力保持回路を通じて前記第二の基板に電力を供給する、
ことを特徴とする請求項１乃至２のいずれか１項に記載の状態収集システム。
【請求項４】
前記電力供給部は、
前記第二の基板に電力を供給し、且つ、
前記第二の基板に備えられた電力保持回路を通じて前記第一の基板に電力を供給する、
ことを特徴とする請求項１乃至２のいずれか１項に記載の状態収集システム。
【請求項５】
前記電力供給部は、
前記第一の基板、及び前記第二の基板にそれぞれ独立して電力を供給する、
ことを特徴とする請求項１乃至２のいずれか１項に記載の状態収集システム。
【請求項６】
検出装置と、ネットワーク構築装置と、データ記憶装置と、を含む状態収集システムであって、
前記ネットワーク構築装置は、第一の基板と、第二の基板と、電源基板と、を備え、
前記第一の基板は、第一のソフトウェア、及び第二のソフトウェアのソフトウェア更新処理を制御する制御部と、前記第一のソフトウェアを記憶する第一の記憶部と、を備え、
前記第二の基板は、前記データ記憶装置と通信する通信部と、前記検出装置とネットワークを構築するネットワーク構築部と、前記第二のソフトウェアを記憶する第二の記憶部と、を備え、
前記電源基板は、前記第一の基板、及び前記第二の基板に電力を供給する電力供給部を備え、
前記制御部が前記第一のソフトウェア、及び前記第二のソフトウェアの少なくとも一つの更新を行うと判断した場合に、前記電力供給部は前記ソフトウェア更新処理を行わない前記第一の基板、及び前記第二の基板に対し前記ソフトウェア更新処理が完了するまで電力を供給する、
ことを特徴とする状態収集システム。
【請求項７】
前記制御部は、
前記第一のソフトウェアのみを更新する第一の判断と、
前記第二のソフトウェアのみを更新する第二の判断と、
前記第一のソフトウェア、及び前記第二のソフトウェアを更新する第三の判断と、を備える、
ことを特徴とする請求項６記載の状態収集システム。
【請求項８】
前記電力供給部は、
前記第一の基板に電力を供給し、且つ、
前記第一の基板に備えられた電力保持回路を通じて前記第二の基板に電力を供給する、
ことを特徴とする請求項６乃至７のいずれか１項に記載の状態収集システム。
【請求項９】
前記電力供給部は、
前記第二の基板に電力を供給し、且つ、
前記第二の基板に備えられた電力保持回路を通じて前記第一の基板に電力を供給する、
ことを特徴とする請求項６乃至７のいずれか１項に記載の状態収集システム。
【請求項１０】
前記電力供給部は、
前記第一の基板、及び前記第二の基板にそれぞれ独立して電力を供給する、
ことを特徴とする請求項６乃至７のいずれか１項に記載の状態収集システム。
【請求項１１】
検出装置と、ネットワーク構築装置と、データ記憶装置と、を含む状態収集システムであって、
前記ネットワーク構築装置は、第一の基板と、第二の基板と、第三の基板と、電源基板と、を備え、
前記第一の基板は、第一のソフトウェア、第二のソフトウェア、及び第三のソフトウェアのソフトウェア更新処理を制御する制御部と、前記第一のソフトウェアを記憶する第一の記憶部と、を備え、
前記第二の基板は、前記検出装置とネットワークを構築するネットワーク構築部と、前記第二のソフトウェアを記憶する第二の記憶部と、を備え、
前記第三の基板は、前記データ記憶装置と通信する通信部と、前記第三のソフトウェアを記憶する第三の記憶部と、を備え、
前記電源基板は、前記第一の基板、前記第二の基板、及び前記第三の基板に電力を供給する電力供給部を備え、
前記制御部が前記第一のソフトウェア、前記第二のソフトウェア、及び前記第三のソフトウェアの少なくとも一つの更新を行うと判断した場合に、前記電力供給部は前記ソフトウェア更新処理を行わない前記第一の基板、前記第二の基板、及び前記第三の基板に対し前記ソフトウェア更新処理が完了するまで電力を供給する、
ことを特徴とする状態収集システム。
【請求項１２】
前記制御部は、
前記第一のソフトウェアのみを更新する第一の判断と、
前記第二のソフトウェアのみを更新する第二の判断と、
前記第一のソフトウェア、及び前記第二のソフトウェアを更新する第三の判断と、
前記第三のソフトウェアのみを更新する第四の判断と、
前記第一のソフトウェア、及び前記第三のソフトウェアを更新する第五の判断と、
前記第二のソフトウェア、及び前記第三のソフトウェアを更新する第六の判断と、
前記第一のソフトウェア、前記第二のソフトウェア、及び前記第三のソフトウェアを更新する第七の判断と、を備える、
ことを特徴とする請求項１１記載の状態収集システム。
【請求項１３】
前記電力供給部は、
前記第一の基板に電力を供給し、且つ、
前記第一の基板に備えられた電力保持回路を通じて前記第二の基板、及び前記第三の基板に電力を供給する、
ことを特徴とする請求項１１乃至１２のいずれか１項に記載の状態収集システム。
【請求項１４】
前記電力供給部は、
前記第二の基板に電力を供給し、且つ、
前記第二の基板に備えられた電力保持回路を通じて前記第一の基板、及び前記第三の基板に電力を供給する、
ことを特徴とする請求項１１乃至１２のいずれか１項に記載の状態収集システム。
【請求項１５】
前記電力供給部は、
前記第三の基板に電力を供給し、且つ、
前記第三の基板に備えられた電力保持回路を通じて前記第一の基板、及び前記第二の基板に電力を供給する、
ことを特徴とする請求項１１乃至１２のいずれか１項に記載の状態収集システム。
【請求項１６】
前記電力供給部は、
前記第一の基板、前記第二の基板、及び前記第三の基板にそれぞれ独立して電力を供給する、
ことを特徴とする請求項１１乃至１２のいずれか１項に記載の状態収集システム。
【発明の詳細な説明】
【技術分野】
【０００１】
本発明は、状態収集システムに関する。本発明は、特に、検出装置とネットワークを構築する状態収集システムに関する。
【背景技術】
【０００２】
例えば特許文献１には、検出装置と、携帯端末と、ネットワーク構築装置と、データ記憶装置と、を備えるプラント機器状態収集システムが開示されている。特許文献１に記載されているプラント機器状態収集システムにおいては、検出装置は、プラント内に配置されたプラント機器の状態を検出する検出部と、ネットワーク構築装置によって構築されるネットワークに接続可能なネットワーク接続部と、携帯端末から少なくともネットワークに接続するためのネットワーク情報を含む設定情報の少なくとも一部を非接触で記憶可能なタグ部とを有し、少なくとも検出部が検出したプラント機器の状態及び検出装置を特定する特定情報を、ネットワークを通じてネットワーク構築装置に送信し、携帯端末は、検出装置のタグ部に設定情報の少なくとも一部を非接触で自動的に記憶させることが可能なタグ制御部を有し、且つデータ記憶装置と通信可能に構成されており、データ記憶装置は、少なくともネットワーク構築装置から受信するプラント機器の状態及び検出装置の特定情報を記憶する記憶部を有し、ネットワーク構築装置は、携帯端末によって検出装置のタグ部にネットワーク情報が記憶されたときに、このネットワーク情報を用いて検出装置のネットワークへの接続を許可するか否かを判定する。
【先行技術文献】
【特許文献】
【０００３】
【特許文献１】特開２０１６−１３９２２７号公報
【発明の概要】
【発明が解決しようとする課題】
【０００４】
ところで、特許文献１に記載されているプラント機器状態収集システムでは、検出装置は、ネットワーク構築装置によって構築される無線通信ネットワーク（Wireless Sensor Network：ＷＳＮ）に接続可能に構成されている。ネットワーク構築装置は、ネットワーク構築装置が構築するＷＳＮのネットワーク構築情報を保持している。また、ネットワーク構築装置は３Ｇ／ＬＴＥ通信部を有し、ＷＳＮを通じて取得した検出装置のデータを３Ｇ／ＬＴＥを通じてデータ記憶装置に送信している。
【０００５】
しかしながら、ネットワーク構築装置の電力供給が中断された場合、ＷＳＮ、及び３Ｇ／ＬＴＥ通信が停止するため、検出装置、及びデータ記憶装置と通信が出来なくなり、プラント機器状態収集システムとしては機能が制限された状態となる。このようなネットワーク構築装置における一時的な電力供給の中断の要因としては、例えば、ネットワーク構築装置に記憶されたＯＳ(Operating System)やアプリケーション、制御ソフトウェアなどの更新処理に伴う再起動がある。従来のネットワーク接続装置のソフトウェア更新処理では、ネットワーク接続装置全体を再起動していた。そのため、状態収集システムにおけるネットワーク接続装置のソフトウェア更新処理という点には改善の余地がある。
【０００６】
本発明は、ネットワーク接続装置のソフトウェア更新処理による機能制限を軽減した状態収集システムを提供することを目的とする。
【課題を解決するための手段】
【０００７】
本発明の第１の観点に係る状態収集システムは、
検出装置と、ネットワーク構築装置と、データ記憶装置と、を含む状態収集システムであって、
前記ネットワーク構築装置は、第一の基板と、第二の基板と、電源基板と、を備え、
前記第一の基板は、前記データ記憶装置と通信する通信部と、第一のソフトウェア、及び第二のソフトウェアのソフトウェア更新処理を制御する制御部と、前記第一のソフトウェアを記憶する第一の記憶部と、を備え、
前記第二の基板は、前記検出装置とネットワークを構築するネットワーク構築部と、前記第二のソフトウェアを記憶する第二の記憶部と、を備え、
前記電源基板は、前記第一の基板、及び前記第二の基板に電力を供給する電力供給部を備え、
前記制御部が前記第一のソフトウェア、及び前記第二のソフトウェアの少なくとも一つの更新を行うと判断した場合に、前記電力供給部は前記ソフトウェア更新処理を行わない前記第一の基板、及び前記第二の基板に対し前記ソフトウェア更新処理が完了するまで電力を供給する、
ことを特徴とする。
【０００８】
本発明の第２の観点に係る状態収集システムは、
検出装置と、ネットワーク構築装置と、データ記憶装置と、を含む状態収集システムであって、
前記ネットワーク構築装置は、第一の基板と、第二の基板と、電源基板と、を備え、
前記第一の基板は、第一のソフトウェア、及び第二のソフトウェアのソフトウェア更新処理を制御する制御部と、前記第一のソフトウェアを記憶する第一の記憶部と、を備え、
前記第二の基板は、前記データ記憶装置と通信する通信部と、前記検出装置とネットワークを構築するネットワーク構築部と、前記第二のソフトウェアを記憶する第二の記憶部と、を備え、
前記電源基板は、前記第一の基板、及び前記第二の基板に電力を供給する電力供給部を備え、
前記制御部が前記第一のソフトウェア、及び前記第二のソフトウェアの少なくとも一つの更新を行うと判断した場合に、前記電力供給部は前記ソフトウェア更新処理を行わない前記第一の基板、及び前記第二の基板に対し前記ソフトウェア更新処理が完了するまで電力を供給する、
ことを特徴とする。
【０００９】
本発明の第３の観点に係る状態収集システムは、
検出装置と、ネットワーク構築装置と、データ記憶装置と、を含む状態収集システムであって、
前記ネットワーク構築装置は、第一の基板と、第二の基板と、第三の基板と、電源基板と、を備え、
前記第一の基板は、第一のソフトウェア、第二のソフトウェア、及び第三のソフトウェアのソフトウェア更新処理を制御する制御部と、前記第一のソフトウェアを記憶する第一の記憶部と、を備え、
前記第二の基板は、前記検出装置とネットワークを構築するネットワーク構築部と、前記第二のソフトウェアを記憶する第二の記憶部と、を備え、
前記第三の基板は、前記データ記憶装置と通信する通信部と、前記第三のソフトウェアを記憶する第三の記憶部と、を備え、
前記電源基板は、前記第一の基板、前記第二の基板、及び第三の基板に電力を供給する電力供給部を備え、
前記制御部が前記第一のソフトウェア、前記第二のソフトウェア、及び前記第三のソフトウェアの少なくとも一つの更新を行うと判断した場合に、前記電力供給部は前記ソフトウェア更新処理を行わない前記第一の基板、前記第二の基板、及び前記第三の基板に対し前記ソフトウェア更新処理が完了するまで電力を供給する、
ことを特徴とする。
【発明の効果】
【００１０】
本発明によれば、ネットワーク接続装置のソフトウェア更新処理による状態収集システムの機能制限を軽減することができる。
【図面の簡単な説明】
【００１１】
【図１】本発明の状態収集システムの全体構成の例を示す図である。
【図２】図１に示される状態収集システムのブロック図である。
【図３】図２に示されるネットワーク構築装置が保持するデータ構造の例を示す図である。
【図４Ａ】図２に示されるネットワーク構築装置の第一の実施形態の例を示すブロック図である。
【図４Ｂ】図２に示されるネットワーク構築装置の第一の実施形態の別の例を示すブロック図である。
【図４Ｃ】図２に示されるネットワーク構築装置の第一の実施形態のさらに別の例を示すブロック図である。
【図５Ａ】図２に示されるネットワーク構築装置の第二の実施形態の例を示すブロック図である。
【図５Ｂ】図２に示されるネットワーク構築装置の第二の実施形態の別の例を示すブロック図である。
【図５Ｃ】図２に示されるネットワーク構築装置の第二の実施形態のさらに別の例を示すブロック図である。
【図６Ａ】図２に示されるネットワーク構築装置の第三の実施形態の例を示すブロック図である。
【図６Ｂ】図２に示されるネットワーク構築装置の第三の実施形態の別の例を示すブロック図である。
【図６Ｃ】図２に示されるネットワーク構築装置の第三の実施形態のさらに別の例を示すブロック図である。
【図６Ｄ】図２に示されるネットワーク構築装置の第三の実施形態のまた別の例を示すブロック図である。
【図７】図２に示されるネットワーク構築装置のソフトウェア更新処理を示すシーケンス図である。
【発明を実施するための形態】
【００１２】
以下に説明する好ましい実施形態は、本発明を容易に理解するために用いられている。従って、当業者は、本発明が、以下に説明される実施形態によって不当に限定されないことを留意すべきである。
【００１３】
《１．全体の構成》
図１に示されるように、プラント機器状態収集システム１は、検出装置１０とネットワーク構築装置２０とデータ記憶装置３０とを備える。検出装置１０は、複数個備えられ、各検出装置１０は、図示されていないプラント内に配置される複数のプラント機器のうち対応するプラント機器に取り付けられる。複数の検出装置１０は、ネットワーク構築装置２０が構築する例えば無線ＬＡＮ（Local Area Network）及びＺｉｇＢｅｅ（登録商標）等の規格を用いた無線センサネットワーク（Wireless Sensor Network；ＷＳＮ）に接続することができる。ＷＳＮは、いわゆるメッシュ型ネットワークであることが好ましい。すなわち、複数の検出装置１０がネットワーク構築装置２０と接続し、各検出装置１０（例えば、検出装置１０−ｂ）は、それ自身が隣接する他の１または複数の検出装置１０（例えば、検出装置１０−ａ及び検出装置１０−ｃ）とも接続することが好ましい。また、携帯端末４０は、検出装置１０への情報の記憶、及び情報の取得に用いる。ネットワーク構築装置２０から距離が離れていること等によってＷＳＮと直接接続できない検出装置１０（例えば、検出装置１０−ａ）が存在するときは、プラント機器状態収集システム１は中継器５０を更に備えて、ＷＳＮの接続可能範囲を補間してもよい。
【００１４】
ネットワーク構築装置２０は、通信ネットワークを利用可能に構成されている。通信ネットワークは、３Ｇ回線またはＬＴＥ（Long Term Evolution）回線等のモバイルネットワークや、有線ＬＡＮや無線ＬＡＮ等のローカルエリアネットワーク、ワイドエリアネットワーク（Wide Area Network；ＷＡＮ）等が存在する。以下、「３Ｇ回線またはＬＴＥ回線等のモバイルネットワーク」を「３Ｇ／ＬＴＥ」とも呼ぶ。ネットワーク構築装置２０は、通信ネットワークを通じてデータ記憶装置３０と通信可能に構成されている。
【００１５】
図１に示される例では、３個の検出装置１０−ａ，１０−ｂ，１０−ｃがネットワーク構築装置２０によって構築されるＷＳＮに接続されるように示されているが、ＷＳＮに接続される検出装置１０は、４個以上であってもよく、１又は２個であってもよい。また、実際のプラント機器状態収集システム１では、複数のネットワーク構築装置（図１のネットワーク構築装置２０及び図示されていない他の１又は複数のネットワーク構築装置）が備えられている。図示されていない他の１又は複数のネットワーク構築装置には、図１と同様に、図示されていない複数の検出装置が接続されている。
【００１６】
図２には、図１に示されるプラント機器状態収集システム１の各構成要素の内部構成の例が示される。図２に示される検出装置１０は、制御部１１、検出部１２、ネットワーク接続部１３、タグ部１４及び報知部１５を有する。検出装置１０は、図示されていない電源ケーブル等で電力を供給することが困難な場所に取り付けられることが想定されるため、更にバッテリ１６を有していることが好ましい。また、検出装置１０は、例えば制御部１１、検出部１２、ネットワーク接続部１３、タグ部１４及び報知部１５の少なくとも１つに対して、電源ケーブルまたはバッテリ１６からの電力の供給を制御する電源制御部１７を更に有してもよい。電源制御部１７は、例えば、リレーシーケンスまたはトランジスタ等のスイッチング素子等を有する、自己保持回路を備える。以下、「検出装置１０」を「センサモジュール１０」とも呼ぶ。
【００１７】
検出装置１０の制御部１１は、例えば、検出部１２、ネットワーク接続部１３、タグ部１４及び報知部１５の動作を制御する。また、制御部１１は、例えば、さらにバッテリ１６の残量を取得可能に構成されていてもよい。検出装置１０の検出部１２は、検出装置１０が取り付けられたプラント機器の状態を検出する。ここで、プラント機器とは、例えばスチームトラップ、回転機等であり、プラント機器の状態とは、例えばプラント機器の温度、振動、湿度、圧力、ｐｈ（ペーハー）等である。
【００１８】
検出装置１０のネットワーク接続部１３は、ネットワーク構築装置２０によって構築されるＷＳＮに接続可能に構成されている。検出装置１０のタグ部１４は、タグＩＣ１４−１及びタグアンテナ１４−２を有する、例えば、ＮＦＣ（Near Field Communication）に用いられるＲＦ（Radio Frequency）タグである。タグ部１４は、後述する携帯端末４０のタグ制御部４３が、非接触で情報をタグＩＣ１４−１に例えば書き込むことによって記憶させることができ、且つ、このタグＩＣ１４−１に非接触で記憶されている情報を例えば読み込むことによって取得することができるように構成されている。ここで、非接触とは、検出装置１０のタグ部１４と携帯端末４０のタグ制御部４３とを例えばケーブル等で有線接続されること等によって、検出装置１０のタグ部１４と携帯端末４０のタグ制御部４３とが直接的な状態または間接的な状態で機械的に接触しないことをいう。また、タグ部１４、具体的にはタグＩＣ１４−１に、検出装置１０を特定する特定情報である、例えばセンサＩＤが予め記憶されている。
【００１９】
検出装置１０の報知部１５は、例えばＬＥＤ、ブザー等であって、制御部１１の制御によって起動または停止する。検出装置１０のバッテリ１６は、検出装置１０が電源ＯＮ状態であるときに、少なくとも制御部１１に対して電力を供給する。検出部１２、ネットワーク接続部１３、タグ部１４及び報知部１５に対する電力の供給は、例えば、制御部１１を介して電力が供給されてもよく、制御部１１を介さずに電力が供給されてもよい。
【００２０】
図２に示されるネットワーク構築装置２０は、通信部２１、制御部２２、記憶部２３、ネットワーク構築部２４を有する。以下、「ネットワーク構築装置２０」を「センサゲートモジュール２０」とも呼ぶ。
【００２１】
ネットワーク構築装置２０の制御部２２は、例えば、マイクロコンピュータ等からなり、少なくとも記憶部２３が記憶するソフトウェアのソフトウェア更新処理を制御する。通信部２１は、例えば、３Ｇ／ＬＴＥを利用可能に構成されている。ネットワーク構築装置２０が通信部２１を有することによって、ネットワーク構築装置２０は３Ｇ／ＬＴＥを通じてデータ記憶装置３０と通信可能に構成されている。
【００２２】
また、ネットワーク構築装置２０は、ネットワーク構築部２４によって、ＷＳＮを構築可能である。ネットワーク構築装置２０が構築するＷＳＮは、特定のネットワーク構築装置２０によって構築されたＷＳＮであることを特定するネットワーク構築情報、例えば、ネットワークＩＤが与えられている。ネットワーク構築装置２０がネットワーク構築部２４を有することによって、ネットワーク構築装置２０はＷＳＮを通じて検出装置１０と通信可能に構成されている。
【００２３】
ネットワーク構築装置２０は、例えば、図３に示されているネットワーク構築装置２０が構築するＷＳＮのネットワーク構築情報を記憶部２３、あるいはネットワーク構築装置２０における図示されていない別の記憶部に記憶する。ネットワーク構築情報（データ００１）は、例えば、ネットワークＩＤ、このネットワークＩＤで特定されるＷＳＮに接続されている検出装置１０のセンサＩＤ及びこれらの検出装置１０のＷＳＮへの接続状態のリストを含む。ネットワークＩＤで特定されるＷＳＮに中継器５０が接続されているときは、ネットワーク構築情報（データ００１）は、中継器ＩＤ及び中継器のＷＳＮへの接続状態を更に含んでもよい。
【００２４】
図２に示されるデータ記憶装置３０は、制御部３１、通信部３２及び記憶部３３を有する。以下、「データ記憶装置３０」を「クラウドサーバ３０」とも呼ぶ。
【００２５】
データ記憶装置３０の記憶部３３は、例えば、図３に示されているプラント情報（データ００２）を記憶する。プラント情報（データ００２）は、例えば、複数のネットワークＩＤ、各ネットワークＩＤで特定されるＷＳＮに接続されている検出装置１０のセンサＩＤ、検出装置１０の接続状態、検出装置１０の取付情報（ＳＭ（センサモジュール）取付情報）、検出装置１０の動作条件（ＳＭ動作条件）、プラント機器の状態及び検出装置１０が検出する検出値、作業者ＩＤ及び作業内容を含む。検出装置１０の取付情報は、例えば、プラント内の番地等の取付エリアを含む。検出装置１０の動作条件は、例えば、検出装置１０の検出部１２が検出する検出項目を含む。また、中継器５０が接続されているＷＳＮが存在するときは、中継器ＩＤ、これらのＷＳＮへの接続状態及び中継器の取付情報を更に含んでもよい。なお、プラント情報（データ００２）には、ネットワーク構築情報（データ００１）の全ての項目が含まれている。
【００２６】
図２に示される携帯端末４０は、制御部４１、通信部４２、タグ制御部４３、スピーカ４４、入力部４５、表示部４６、及び記憶部４７を有する。以下、「携帯端末４０」を「タブレット端末４０」とも呼ぶ。
【００２７】
携帯端末４０のタグ制御部４３は、タグリーダ／ライタ４３−１及びタグ制御アンテナ４３−２を有する。タグ制御部４３による、検出装置１０のタグ部１４への情報の記憶及びタグ部１４からの情報の取得は、携帯端末４０を検出装置１０にかざすこと、すなわち、例えば携帯端末４０を検出装置１０から所定の距離（例えば１０ｃｍ）まで近づけることによって自動的に実行される。携帯端末４０のスピーカ４４は、制御部４１による制御の元で所定の音声を出力するものである。携帯端末４０の入力部４５及び表示部４６は、例えばタッチパネル式のディスプレイパネルモジュール４５，４６で構成されてもよい。以下、「タッチパネル式のディスプレイパネルモジュール４５，４６」を「タッチパネル４５，４６」とも呼ぶ。携帯端末４０の記憶部４７は、各種情報を記憶する。
【００２８】
また、携帯端末４０には、例えば、プラント機器状態収集システム１に関連付けられたアプリケーションがインストールされている。例えば、このアプリケーションを実行することによって、プラント内で働く作業担当者が、携帯端末４０を用いて、データ記憶装置３０に記憶されているプラント情報（データ００２）の閲覧及び編集、検出装置１０のネットワーク接続等の作業をすることが可能になる。以下、「プラント機器状態収集システム１に関連付けられたアプリケーション」を「プラントアプリ」とも呼ぶ。しかしながら、作業担当者は、プラントアプリを実行することなく、例えばＷＥＢブラウザを用いてデータ記憶装置３０に記憶されているプラント情報（データ００２）の閲覧及び編集、検出装置１０のネットワーク接続等の作業をしてもよい。
【００２９】
さらに、プラントの管理担当者は、通信ネットワーク、例えば、３Ｇ／ＬＴＥに接続可能な図示されていないノートパソコン等の通信端末を用いることで、３Ｇ／ＬＴＥを通じてプラント情報（データ００２）を閲覧及び編集することができる。その結果、管理担当者はプラント機器を直接監視しにいくことなく、プラント機器の状態を遠隔で監視することが可能になり、異常状態を発見したときに、携帯端末４０を携帯する作業担当者に修繕作業の指示等をすることが可能になる。
【００３０】
図２に示される中継器５０は、制御部５１、ネットワーク接続部５２、タグ部５３、報知部５４、バッテリ５５、電源制御部５６を有する。中継器５０は、検出装置１０と概ね同様の内部構造であるが、検出部を有さない点で検出装置１０と異なる。
【００３１】
《２．ネットワーク構築装置の構成》
図４Ａ乃至Ｃ、図５Ａ乃至Ｃ、及び図６Ａ乃至Ｄは、図２に示されるネットワーク構築装置２０の構成の詳細を示している。図２に示される通信部２１は、通信部２０１、通信部２１１、及び通信部２２１に、図２に示される制御部２２は、制御部２０２に、図２に示される記憶部２３は、第一の記憶部２０３、第二の記憶部２１３、及び第三の記憶部２２３に、図２に示されるネットワーク構築部２４は、ネットワーク構築部２１４に、それぞれ相当する。
【００３２】
図４Ａ乃至Ｃに示されるネットワーク構築装置２０は、第一の基板２００、第二の基板２１０、電源基板２５０を備える。
【００３３】
第一の基板２００は、データ記憶装置３０と通信する通信部２０１と、第一のソフトウェア２０５、及び第二のソフトウェア２１５のソフトウェア更新処理を制御する制御部２０２と、第一のソフトウェア２０５を記憶する第一の記憶部２０３を備える。
【００３４】
第二の基板２１０は、検出装置１０とネットワークを構築するネットワーク構築部２１４と、第二のソフトウェア２１５を記憶する第二の記憶部２１３を備える。
【００３５】
電源基板２５０は、第一の基板２００、及び第二の基板２１０に電力供給を行う電力供給部２５１を備える。
【００３６】
図４Ａは、電力供給部２５１が第一の基板２００に備えられた電力保持回路２０６を通じて第二の基板２１０に電力を供給する構成である。
【００３７】
図４Ｂは、電力供給部２５１が第二の基板２１０に備えられた電力保持回路２１６を通じて第一の基板２００に電力を供給する構成である。
【００３８】
図４Ｃは、電力供給部２５１が第一の基板２００、及び第二の基板２１０にそれぞれ独立して電力を供給する構成である。
【００３９】
第一のソフトウェア２０５は、例えば、ＯＳやアプリケーション、及び通信部２０１の制御ソフトウェアであり、第二のソフトウェア２１５は、例えば、ネットワーク構築部２１４の制御ソフトウェアである。
【００４０】
図５Ａ乃至Ｃに示されるネットワーク構築装置２０は、第一の基板２００、第二の基板２１０、電源基板２５０を備える。
【００４１】
第一の基板２００は、第一のソフトウェア２０５、及び第二のソフトウェア２１５のソフトウェア更新処理を制御する制御部２０２と、第一のソフトウェア２０５を記憶する第一の記憶部２０３を備える。
【００４２】
第二の基板２１０は、データ記憶装置３０と通信する通信部２１１と、検出装置１０とネットワークを構築するネットワーク構築部２１４と、第二のソフトウェア２１５を記憶する第二の記憶部２１３を備える。
【００４３】
電源基板２５０は、第一の基板２００、及び第二の基板２１０に電力供給を行う電力供給部２５１を備える。
【００４４】
図５Ａは、電力供給部２５１が第一の基板２００に備えられた電力保持回路２０６を通じて第二の基板２１０に電力を供給する構成である。
【００４５】
図５Ｂは、電力供給部２５１が第二の基板２１０に備えられた電力保持回路２１６を通じて第一の基板２００に電力を供給する構成である。
【００４６】
図５Ｃは、電力供給部２５１が第一の基板２００、及び第二の基板２１０にそれぞれ独立して電力を供給する構成である。
【００４７】
第一のソフトウェア２０５は、例えば、ＯＳやアプリケーションであり、第二のソフトウェア２１５は、例えば、通信部２１１の制御ソフトウェア、及びネットワーク構築部２１４の制御ソフトウェアである。
【００４８】
図６Ａ乃至Ｄに示されるネットワーク構築装置２０は、第一の基板２００、第二の基板２１０、第三の基板２２０、電源基板２５０を備える。
【００４９】
第一の基板２００は、第一のソフトウェア２０５、第二のソフトウェア２１５、及び第三のソフトウェア２２５のソフトウェア更新処理を制御する制御部２０２と、第一のソフトウェア２０５を記憶する第一の記憶部２０３を備える。
【００５０】
第二の基板２１０は、検出装置１０とネットワークを構築するネットワーク構築部２１４と、第二のソフトウェア２１５を記憶する第二の記憶部２１３を備える。
【００５１】
第三の基板２２０は、データ記憶装置３０と通信する通信部２２１と、第三のソフトウェア２２５を記憶する第三の記憶部２２３を備える。
【００５２】
電源基板２５０は、第一の基板２００、第二の基板２１０、及び第三の基板２２０に電力供給を行う電力供給部２５１を備える。
【００５３】
図６Ａは、電力供給部２５１が第一の基板２００に備えられた電力保持回路２０６を通じて第二の基板２１０、及び第三の基板２２０に電力を供給する構成である。
【００５４】
図６Ｂは、電力供給部２５１が第二の基板２１０に備えられた電力保持回路２１６を通じて第一の基板２００、及び第三の基板２２０に電力を供給する構成である。
【００５５】
図６Ｃは、電力供給部２５１が第三の基板２２０に備えられた電力保持回路２２６を通じて第一の基板２００、及び第二の基板２１０に電力を供給する構成である。
【００５６】
図６Ｄは、電力供給部２５１が第一の基板２００、第二の基板２１０、及び第三の基板２２０にそれぞれ独立して電力を供給する構成である。
【００５７】
第一のソフトウェア２０５は、例えば、ＯＳやアプリケーションであり、第二のソフトウェア２１５は、例えば、ネットワーク構築部２１４の制御ソフトウェアであり、第三のソフトウェア２２５は、例えば、通信部２２１の制御ソフトウェアである。
【００５８】
図４Ａ、図５Ａ、図６Ａに示される電力保持回路２０６、図４Ｂ、図５Ｂ、図６Ｂに示される電力保持回路２１６、及び、図６Ｃに示される電力保持回路２２６は、電力保持回路が備えられた基板の電力状態にかかわらず、電力供給部２５１から電力保持回路２０６、電力保持回路２１６、及び電力保持回路２２６を通じて他の基板に電力を供給することが可能である。
【００５９】
図４Ａ乃至Ｂ、図５Ａ乃至Ｂ、及び図６Ａ乃至Ｃに示される電力保持回路２０６，２１６，２２６を用いた構成、または、図４Ｃ、図５Ｃ、及び図６Ｄに示された電源基板２５０の電力供給部２５１が各基板にそれぞれ独立して電力を供給する構成を用いることで、基板ごとに電力供給部を設ける必要が無くなりコストを低く抑えることができる。
【００６０】
《３．ネットワーク構築装置のソフトウェア更新処理》
図７を参照して、ネットワーク構築装置２０のソフトウェア更新処理の例について説明する。ここでは、ネットワーク構築装置２０は通信部２１を介して、例えば３Ｇ／ＬＴＥを通じて、データ記憶装置３０に接続可能であることを前提に説明する。
【００６１】
ネットワーク構築装置２０は、例えば、ネットワーク構築装置２０の電源ＯＮや一定時間の経過などを契機にして、データ記憶装置３０にネットワーク構築装置２０に適用すべきソフトウェアがあるかステップＳＴ２０１で問い合わせする。
【００６２】
データ記憶装置３０は、ステップＳＴ３０１でネットワーク構築装置２０に適用すべきソフトウェアがあるか確認し、ステップＳＴ３０２で確認結果をネットワーク構築装置２０に通知する。
【００６３】
ネットワーク構築装置２０は、ステップＳＴ２０２で「適用すべきソフトウェアがある」と判定される場合はステップＳＴ２０３〜ＳＴ２０６を実行し、「適用すべきソフトウェアがある」と判定されない場合は、ステップＳＴ２０３〜ＳＴ２０６を実行しない。
【００６４】
ネットワーク構築装置２０は、ネットワーク構築装置２０に適用すべきソフトウェアをステップＳＴ２０３で取得する。以下、「適用すべきソフトウェア」を「アップデートソフトウェア」とも呼ぶ。前記アップデートソフトウェアの取得方法は、ネットワーク構築装置２０がデータ記憶装置３０からダウンロードする方法でも、データ記憶装置３０がネットワーク構築装置２０に送信する方法でもよい。前記アップデートソフトウェアは、第一のソフトウェア２０５、第二のソフトウェア２１５、及び第三のソフトウェア２２５の少なくとも一部を更新するためのものでも良いし、新しく機能を追加するためのものでも良い。
【００６５】
図４Ａ乃至Ｃに示されるネットワーク構築装置２０は、前記アップデートソフトウェアが第一のソフトウェア２０５のみを更新する第一の判断と、第二のソフトウェア２１５のみを更新する第二の判断と、第一のソフトウェア２０５、及び第二のソフトウェア２１５を更新する第三の判断と、のいずれに該当するか、ステップＳＴ２０４で判断する。
【００６６】
図５Ａ乃至Ｃに示されるネットワーク構築装置２０は、前記アップデートソフトウェアが第一のソフトウェア２０５のみを更新する第一の判断と、第二のソフトウェア２１５のみを更新する第二の判断と、第一のソフトウェア２０５、及び第二のソフトウェア２１５を更新する第三の判断と、のいずれに該当するか、ステップＳＴ２０４で判断する。
【００６７】
図６Ａ乃至Ｄに示されるネットワーク構築装置２０は、前記アップデートソフトウェアが第一のソフトウェア２０５のみを更新する第一の判断と、第二のソフトウェア２１５のみを更新する第二の判断と、第一のソフトウェア２０５、及び第二のソフトウェア２１５を更新する第三の判断と、第三のソフトウェア２２５のみを更新する第四の判断と、第一のソフトウェア２０５、及び第三のソフトウェア２２５を更新する第五の判断と、第二のソフトウェア２１５、及び第三のソフトウェア２２５を更新する第六の判断と、第一のソフトウェア２０５、第二のソフトウェア２１５、及び第三のソフトウェア２２５を更新する第七の判断と、のいずれに該当するか、ステップＳＴ２０４で判断する。
【００６８】
ネットワーク構築装置２０は、少なくとも、ソフトウェア更新処理を行わない基板に対しソフトウェア更新処理が完了するまで電力供給することをステップＳＴ２０５で判断する。
【００６９】
ネットワーク構築装置２０は、ソフトウェア更新を行う基板に対し、ソフトウェア更新に伴う再起動の必要がある基板にはソフトウェア更新処理中に一時的な電力供給の中断をすること、再起動の必要がない基板にはソフトウェア更新処理が完了するまで電力供給することをステップＳＴ２０５で判断する。
【００７０】
ネットワーク構築装置２０は、ステップＳＴ２０４のソフトウェア更新判断、及び、ステップＳＴ２０５の電力供給判断に基づき、ソフトウェア更新処理をステップＳＴ２０６で実施する。
【００７１】
図４Ａ乃至Ｃに示されるネットワーク構築装置２０において、ステップＳＴ２０４のソフトウェア更新判断が前記第一の判断であった場合、ステップＳＴ２０６のソフトウェア更新処理中に少なくとも第二の基板２１０への電力供給が継続される。すなわち状態収集システム１において、ネットワーク構築装置２０は、ソフトウェア更新処理中であっても、ネットワーク構築部２１４を介して検出装置１０と通信可能である。
【００７２】
図４Ａ乃至Ｃに示されるネットワーク構築装置２０において、ステップＳＴ２０４のソフトウェア更新判断が前記第二の判断であった場合、少なくとも第一の基板２００への電力供給が継続される。すなわち状態収集システム１において、ネットワーク構築装置２０は、ソフトウェア更新処理中であっても、第一のソフトウェア２０５（例えばＯＳやアプリケーション）を実行する、及び通信部２０１を介してデータ記憶装置３０と通信可能である。
【００７３】
図４Ａ乃至Ｃに示されるネットワーク構築装置２０において、ステップＳＴ２０４のソフトウェア更新判断が前記第三の判断であった場合、ステップＳＴ２０５の電力供給判断において第一の基板２００、及び第二の基板２１０の全てで基板の再起動が必要と判断され、ネットワーク構築装置２０の一時的な電力供給の中断が起こりうる。この場合、ネットワーク構築装置２０は、ステップＳＴ２０６のソフトウェア更新処理において基板の再起動のタイミングをそろえる、あるいは、タイミングをずらす、などの制御により、状態収集システム１の機能制限を最低限にすることが望ましい。
【００７４】
図５Ａ乃至Ｃに示されるネットワーク構築装置２０において、ステップＳＴ２０４のソフトウェア更新判断が前記第一の判断であった場合、少なくとも第二の基板２１０への電力供給が継続される。すなわち状態収集システム１において、ネットワーク構築装置２０は、ソフトウェア更新処理中であっても、ネットワーク構築部２１４を介して検出装置１０と通信可能である、及び通信部２０１を介してデータ記憶装置３０と通信可能である。
【００７５】
図５Ａ乃至Ｃに示されるネットワーク構築装置２０において、ステップＳＴ２０４のソフトウェア更新判断が前記第二の判断であった場合、少なくとも第一の基板２００への電力供給が継続される。すなわち状態収集システム１において、ネットワーク構築装置２０は、ソフトウェア更新処理中であっても、第一のソフトウェア２０５（例えばＯＳやアプリケーション）を実行可能である。
【００７６】
図５Ａ乃至Ｃに示されるネットワーク構築装置２０において、ステップＳＴ２０４のソフトウェア更新判断が前記第三の判断であった場合、ステップＳＴ２０５の電力供給判断において第一の基板２００、及び第二の基板２１０の全てで基板の再起動が必要と判断され、ネットワーク構築装置２０の一時的な電力供給の中断が起こりうる。この場合、ネットワーク構築装置２０は、ステップＳＴ２０６のソフトウェア更新処理において基板の再起動のタイミングをそろえる、あるいは、タイミングをずらす、などの制御により、状態収集システム１の機能制限を最低限にすることが望ましい。
【００７７】
図６Ａ乃至Ｄに示されるネットワーク構築装置２０において、ステップＳＴ２０４のソフトウェア更新判断が前記第一の判断であった場合、少なくとも第二の基板２１０、及び第三の基板２２０への電力供給が継続される。すなわち状態収集システム１において、ネットワーク構築装置２０は、ソフトウェア更新処理中であっても、ネットワーク構築部２１４を介して検出装置１０と通信可能である、及び通信部２２１を介してデータ記憶装置３０と通信可能である。
【００７８】
図６Ａ乃至Ｄに示されるネットワーク構築装置２０において、ステップＳＴ２０４のソフトウェア更新判断が前記第二の判断であった場合、少なくとも第一の基板２００、及び第三の基板２２０への電力供給が継続される。すなわち状態収集システム１において、ネットワーク構築装置２０は、ソフトウェア更新処理中であっても、第一のソフトウェア２０５（例えばＯＳやアプリケーション）を実行可能である、及び通信部２２１を介してデータ記憶装置３０と通信可能である。
【００７９】
図６Ａ乃至Ｄに示されるネットワーク構築装置２０において、ステップＳＴ２０４のソフトウェア更新判断が前記第三の判断であった場合、少なくとも第三の基板２２０への電力供給が継続される。すなわち状態収集システム１において、ネットワーク構築装置２０は、ソフトウェア更新処理中であっても、通信部２２１を介してデータ記憶装置３０と通信可能である。
【００８０】
図６Ａ乃至Ｄに示されるネットワーク構築装置２０において、ステップＳＴ２０４のソフトウェア更新判断が前記第四の判断であった場合、少なくとも第一の基板２００、及び第二の基板２１０への電力供給が継続される。すなわち状態収集システム１において、ネットワーク構築装置２０は、ソフトウェア更新処理中であっても、第一のソフトウェア２０５（例えばＯＳやアプリケーション）を実行可能である、及びネットワーク構築部２１４を介して検出装置１０と通信可能である。
【００８１】
図６Ａ乃至Ｄに示されるネットワーク構築装置２０において、ステップＳＴ２０４のソフトウェア更新判断が前記第五の判断であった場合、少なくとも第二の基板２１０への電力供給が継続される。すなわち状態収集システム１において、ネットワーク構築装置２０は、ソフトウェア更新処理中であっても、ネットワーク構築部２１４を介して検出装置１０と通信可能である。
【００８２】
図６Ａ乃至Ｄに示されるネットワーク構築装置２０において、ステップＳＴ２０４のソフトウェア更新判断が前記第六の判断であった場合、少なくとも第一の基板２００への電力供給が継続される。すなわち状態収集システム１において、ネットワーク構築装置２０は、ソフトウェア更新処理中であっても、第一のソフトウェア２０５（例えばＯＳやアプリケーション）を実行可能である。
【００８３】
図６Ａ乃至Ｄに示されるネットワーク構築装置２０において、ステップＳＴ２０４のソフトウェア更新判断が前記第七の判断であった場合、ステップＳＴ２０５の電力供給判断において第一の基板２００、第二の基板２１０、及び第三の基板２２０の全てで基板の再起動が必要と判断され、ネットワーク構築装置２０の一時的な電力供給の中断が起こりうる。この場合、ネットワーク構築装置２０は、ステップＳＴ２０６のソフトウェア更新処理において基板の再起動のタイミングをそろえる、あるいは、タイミングをずらす、などの制御により、状態収集システム１の機能制限を最低限にすることが望ましい。
【００８４】
また、データ記憶装置３０は、ネットワーク構築装置２０のステップＳＴ２０１の問い合わせによらずにステップＳＴ３０１を実行し、ネットワーク構築装置２０に適用すべきソフトウェアがあるかを確認し、ステップＳＴ３０２でネットワーク構築装置２０に確認結果を通知してもよい。この場合、ネットワーク構築装置２０は、ステップＳＴ２０２で「適用すべきソフトウェアがある」と判定される場合はステップＳＴ２０３〜ＳＴ２０６を実行し、「適用すべきソフトウェアがある」と判定されない場合は、ステップＳＴ２０３〜ＳＴ２０６を実行しない。
【００８５】
図７に示されるネットワーク構築装置２０は、前記アップデートソフトウェアをデータ記憶装置３０から取得したが、データ記憶装置３０とは別の図示されていない記憶装置（例えばサーバやネットワーク・アタッチト・ストレージ）、または携帯端末４０から取得してもよい。この場合、ネットワーク構築装置２０の通信部２１は、３Ｇ／ＬＴＥ、ローカルエリアネットワーク、ワイドエリアネットワークなどを通じて、前記図示されていない記憶装置、または携帯端末４０と接続可能であることが望ましい。
【００８６】
あるいは、ネットワーク構築装置２０に備えられた図示されていない接続端子を介して、ＳＤ(Secure Digital)カードやＵＳＢ(Universal Serial Bus)メモリなどの携帯型不揮発性メモリから前記アップデートソフトウェアを取得してもよい。
【産業上の利用可能性】
【００８７】
本発明は、ネットワーク構築装置を備える状態収集システムに好適である。
【符号の説明】
【００８８】
１・・・状態収集システム
１０・・・検出装置
２０・・・ネットワーク構築装置
３０・・・データ記憶装置
４０・・・携帯端末
５０・・・中継器
２００・・・第一の基板
２０１・・・通信部
２０２・・・制御部
２０３・・・第一の記憶部
２０５・・・第一のソフトウェア
２０６・・・電力保持回路
２１０・・・第二の基板
２１１・・・通信部
２１３・・・第二の記憶部
２１４・・・ネットワーク構築部
２１５・・・第二のソフトウェア
２１６・・・電力保持回路
２２０・・・第三の基板
２２１・・・通信部
２２３・・・第三の記憶部
２２５・・・第三のソフトウェア
２２６・・・電力保持回路
２５０・・・電源基板
２５１・・・電力供給部
【図１】
2019028479.tif 000003
【図２】
2019028479.tif 000004
【図３】
2019028479.tif 000005
【図４Ａ】
2019028479.tif 000006
【図４Ｂ】
2019028479.tif 000007
【図４Ｃ】
2019028479.tif 000008
【図５Ａ】
2019028479.tif 000009
【図５Ｂ】
2019028479.tif 000010
【図５Ｃ】
2019028479.tif 000011
【図６Ａ】
2019028479.tif 000012
【図６Ｂ】
2019028479.tif 000013
【図６Ｃ】
2019028479.tif 000014
【図６Ｄ】
2019028479.tif 000015
【図７】
2019028479.tif 000016